(57)【特許請求の範囲】
【請求項１】
足に装着したときに、前記足の踵の後方においてサーフボードに加重することが可能な加重手段と、
前記足の甲を移動する動作に連動して動作する様に、前記荷重手段を前記足に固定する固定手段とを備え、
前記固定手段は、前記加重手段を前記足に固定するシューズ部分により形成され、
前記加重手段は、少なくとも前記シューズ部分の内部における足の甲に対応する位置の下方から、前記足の踵の後方に延在する様に形成された非可撓性の板状部材であること
を特徴とするサーフィン用具。
【請求項２】
前記板状部材は、当該板状部材の厚さ方向に穿設され水の抵抗を低減する為の孔を有すること、
を特徴とする請求項１記載のサーフィン用具。
【請求項３】
前記固定手段は、少なくとも前記足の裏側を覆う裏被覆部を備え、
前記板状部材は、当該板状部材の軸方向に略等間隔で配列され当該板状部材の厚さ方向に穿設された複数の孔を備え、
前記複数の孔のうち少なくとも１個の孔を介して前記板状部材を前記裏被覆部材に固定する板状部材固定手段を備えること、
を特徴とする請求項１又は請求項２の何れかの項記載のサーフィン用具。
【請求項４】
前記板状部材の厚さは、当該板状部材の中心部から周縁部にかけて漸減していること、
を特徴とする請求項１乃至請求項３の何れかの項記載のサーフィン用具。
【請求項５】
前記板状部材が前記踵部近傍から後方に突出している長さは、略１センチメートル以上、且つ、略１５センチメートル以下であること、
を特徴とする請求項１乃至請求項４の何れかの項記載のサーフィン用具。
【発明の詳細な説明】
【技術分野】
【０００１】
本発明は、サーフィン用具に関し、特にユーザが足に身につけるサーフィン用具に関する。
【背景技術】
【０００２】
従来、サーフィンを行う際に、ユーザが足に身につけるサーフィン用具としては、特許文献１に開示されたフットピースを備えるサーフボードがある。
【先行技術文献】
【特許文献】
【０００３】
【特許文献１】特表平８−５０３１５公報
【０００４】
具体的には、特許文献１に開示されたフットピースを備えるサーフボードは、ユーザが足に装着するフットピースの底面に繊維性のフック材料を固定し、サーフボードの上面にフットピースのフック材料が張り付くことが可能なマット材料を備える。そして、この様なフック材料及びマット材料を各部に形成することで、フットピースのサーフボードに対する付着性を向上させることとしている。また、特許文献１に開示された発明よればフック材料及びマット材料の接触面積を調整することで、サーフィン中の複雑な動作に対してもユーザの動作に支障をきたさないこととしている。
【０００５】
しかしこれらフック材料及びマット材料は、海水や砂等にさらされることにより劣化してしまうものである。そして、これら材料が劣化することにより、フック材料のマット材料に対する定着性が変化し、ユーザが所望する定着性を得ることができず、ユーザがサーフボードから足を離そうとしても離れないという現象や、ユーザがサーフボードに足を定着させようとしてもフック材料とマット材料との定着を維持することができないという現象が生じてしまうという問題があった。そしてこの様な現象は、サーフィン中のユーザの動作に支障をきたすこととなる。また、ユーザが所謂パドリングを行う際には、サーフボード上で腹ばいの姿勢をとるが、サーフボード上にはマット材料が形成されていることに起因して、ユーザに不快感を与えてしまうという問題があった。また、特許文献１に開示された発明によれば、サーフボードに対して特殊な処理を施さなければならず、コストの上昇は勿論、フットピースの使用を希望しないユーザに対してもマット材料つきのサーフボードの使用を強制してしまうという問題があった。
【発明の概要】
【発明が解決しようとする課題】
【０００６】
そこで、本発明はこの様な実情に鑑みてなされたものであり、サーフボードに特殊な加工を施す必要がなく、サーフィンを行う際にユーザが装着することによってサーフボードの操作性を向上させることが可能なサーフィン用具を提供することを目的とする。
【課題を解決するための手段】
【０００７】
上記課題を解決する為に、本発明に係るサーフィン用具は、足に装着したときに、前記足の踵の後方においてサーフボードに加重することが可能な加重手段と、前記足の甲を移動する動作に連動して動作する様に、前記荷重手段を前記足に固定する固定手段とを備え、前記固定手段は、前記加重手段を前記足に固定するシューズ部分により形成され、前記加重手段は、少なくとも前記シューズ部分の内部における足の甲に対応する位置の下方から、前記足の踵の後方に延在する様に形成された非可撓性の板状部材であることを特徴とする。
【０００８】
この構成に因れば、加重手段は固定手段によってユーザの足に固定されており、ユーザの踵部の後方においてサーフボードに加重することが可能となる。従来用いられていた技術を用いた場合、又はユーザが裸足でサーフボードに自身の後方に加重を行おうとしても、従来技術の構造上又は人体的な構造上、踵部より後方においてサーフボードに加重することはできない。しかし、上述の様な本発明に因れば、加重手段によって踵部の後方に加重することが出来る為、サーフボードの操作性を向上させることができる。
【０００９】
この場合において、前記固定手段は、前記加重手段を前記足に固定するシューズ部分により形成され、前記加重手段は、少なくとも前記シューズ部分の内部における足の甲に対応する位置の下方から、前記足の踵の後方に延在する様に形成された板状部材であること
が好ましい。
【００１０】
また、この場合において、当該板状部材の厚さ方向に穿設され水の抵抗を低減する為の孔を有することが好ましい。
【００１１】
この構成によれば、所謂パドリング時に板状部材に加わる水の抵抗を低減させることができ、ユーザの足にかかる負担を低減させることができる。
【００１２】
また、前記固定手段は、少なくとも前記足の裏側を覆う裏被覆部を備え、前記板状部材は、当該板状部材の軸方向に略等間隔で配列され当該板状部材の厚さ方向に穿設された複数の孔を備え、前記複数の孔のうち少なくとも１個の孔を介して前記板状部材を前記裏被覆部材に固定する板状部材固定手段を備えることを特徴としている。
【００１３】
この構成によれば、板状部材固定手段によって、板状部材を固定裏被覆部材に固定することができる。さらに、板状部材は軸方向に穿設された複数個の孔を備える為、板状部材固定手段が、ユーザの踵部から突出する長さをユーザの好みに合わせて調整することが可能となる。
【００１４】
また、前記板状部材の厚さは、当該板状部材の中心部から周縁部にかけて漸減していることを特徴としている。
【００１５】
この構成によれば、所謂パドリング時に板状部材に水圧が加わったとしても、水は板状部材の上面において、中心部から周縁部に向かって流れる為、ユーザの足に加わる負担を低減させることができる。
【００１６】
また、前記板状部材が前記踵部近傍から後方に突出している長さは、略１センチメートル以上、且つ、略１５センチメートル以下であることが好ましい。
【発明の効果】
【００１７】
以上の様に、本発明によれば、サーフボードに何ら特殊な加工を施すことがなく、サーフィンを行う際にユーザが装着することによってサーフボードの操作性を向上させることができる。
【図面の簡単な説明】
【００１８】
【図１】本発明の実施の形態に係るサーフィン用シューズの斜視図であり、同サーフィン用シューズの構成について説明する為の図である。
【図２】同サーフィン用シューズのＡＡ´断面の断面図であり、同サーフィン用シューズの内部構造について説明する為の図である。
【図３】同サーフィン用シューズが備える加重部材の平面図であり、同加重部材の下面を示す図である。
【図４】同加重部材の変形例を示す図であり、同加重部材の下面を示す図である。
【図５】同サーフィン用シューズの変形例を示す斜視図であり、同サーフィン用シューズの構成について説明する為の図である。
【発明を実施するための形態】
【００１９】
以下、本発明を適用した実施の形態について詳細な説明をする。
【００２０】
図１及び図２に示す様に、実施の形態に係るサーフィン用シューズ１は、例えばサーファー等のユーザがサーフィンを行う際に身に着けるサーフィン用具である。この様なサーフィン用シューズ１は、ユーザの足の踵の後方において図示せぬサーフボードに加重することが可能な加重部材３と、該加重部材３をユーザの足に固定する固定手段としてのシューズ部分５とを備える。
【００２１】
加重部材３は、ユーザが履いたときに、該ユーザの踵から、該ユーザに対して後方向に突出した板状の部材である。加重部材３は、図３に示す様に、例えば金属片等の所定の硬さを有する部材を、好ましくは略長方形状の板状に形成した部材であり、その長手方向の一端は、ユーザがサーフィン用シューズ１を装着したときに該足の土踏まずの直下近傍に位置し、他端は踵部から後方に約１センチメートル以上、１５センチメートル以下突出していることが好ましい。さらに好ましくは、加重部材３の他端は、踵部から５センチメートル程度突出していることが好ましい。これは、発明者の実験に因る数値であり、踵から後方に突出する距離が余りにも短いと十分にサーフボードに加重をすることができない。一方、踵から後方に突出する長さが余りにも長いと、所謂パドリング時に板状部材に加わる水圧が大きくなってしまう為、好ましくない。また、加重部材３の短手方向の長さは、シューズ部分５の幅と略同一の長さであることが好ましく、一般的な人間の足の幅を考慮して１２センチメートル以下であることが好ましい。加重部材３の短手方向の長さをシューズ部分５の幅と略同一の長さとすることで、ユーザが足首を左右に回動することが可能となり、ユーザがサーフィンを行っている際にユーザの動作に支障をきたさなくなる。また、加重部材３を設けることにより、加重部材３を含めたサーフィン用シューズ１とサーフボードとの接触面積は、裸足の状態における足の裏とサーフボードとの接触面積よりも広くなり、且つユーザの重心の直下の前後においてサーフボードとの接触を図ることが可能となる為、ユーザはバランスを取り易くなる。この様な現象は、特に、サーフィン中におけるジャンプする動作の後の着水時において顕著に発生する。尚、加重部材の形状としては、上述の板状の部材に限らず、踵部近傍から後方に突出し、少なくともその一部がサーフボードに接触することで、ユーザがサーフボードに加重することが可能な形状であればどの様な形状であっても良い。また、加重部材３の他端は、角を削ぎ落とした様に丸みをおびた形状とすることが好ましい。加重部材３の他端を丸みをおびた形状とすることで、加重部材３とサーフボードとが接触してサーフボードに傷が付くことを防止することができる。また、特に図示はしないが、同様の理由により加重部材３の周縁に沿って、例えばゴム等の弾性部材を固定することが好ましい。
【００２２】
また、加重部材３は、加重部材３がサーフボードに接触する位置に緩衝部材７を備える。緩衝部材７は、例えばスポンジ等の弾性を有する材料によって構成されている。そして、緩衝部材７は、加重部材３の下面に固着されている。加重部材３は、上述の様に所定の硬さを有する材料によって形成される為、加重部材３が直接サーフボードに接触するとサーフボードに傷がついてしまう恐れがあるが、加重部材３がサーフボードと接触する下面に緩衝部材７を形成することで、サーフボードに傷がつくことを防止することができる。尚、本実施の形態では、緩衝部材７を１個備える構成として図示をしているが、サーフィン用シューズ１は、緩衝部材７を複数個備える構成であっても良い。
【００２３】
また、加重部材３は、上面から下面にかけて穿設された複数個の孔９を備える。孔９は、ビス１１を挿通することで加重部材３をシューズ部分５に固定する。また、この様な孔９は、加重部材３の長手方向に沿って、複数個の孔を例えば２列に配列して形成される。この様に孔９を加重部材３の長手方向に沿って配列することで、ユーザが加重部材３をシューズ部分５に固定する際に、加重部材３が踵部分から突出する長さを調整することが可能となる。
【００２４】
シューズ部分５は、加重部材３をユーザの足に固定する。この様なシューズ部分５は、ユーザの足の少なくとも足の甲を覆う表被覆部１３と、少なくとも足の裏側を覆う裏被覆部１５とを備える。
【００２５】
表被覆部１３は、足の甲を覆うことで、ユーザが足を持ち上げる等の動作に連動して加重部材３を移動させる。具体的には、表被覆部１３は、ユーザの足の左端から右端にかけてユーザの足を覆う様に形成された布状の素材によって形成されている。また、表被覆部１３は、ユーザの足の踵部分を覆う様に形成されている。また、表被覆部１３の表面には、ストラップ１７が形成されており、ユーザがストラップ１７の長さを調整することで、表被覆部１３を足に密着させる。
【００２６】
裏被覆部１５は、少なくともユーザの足の裏を覆う。また、裏被覆部１５は、サーフボードとの間で所定の摩擦抵抗を有する材料を用いて形成されていることが好ましい。また、裏被覆部１５におけるサーフボードと接触する底面は、例えば溝やスリット等の滑り止めが刻まれていることが好ましい。また、裏被覆部１５の内部には、加重部材３を挿入する為の空洞が形成されており、該空洞に加重部材３を挿入することによって加重部材３とサーフボードが接触することを防止する。
【００２７】
サーフィン用シューズ１では、この様な表被覆部１３と裏被覆部１５とによって、一般的な靴の様な形状を構成するが、サーフィン用シューズ１の形状としてはこの様な形状に限られるものではない。サーフィン用シューズ１の形状としては、例えばブーツ、若しくはサンダルの形状であったり、複数のストラップを組み合わせた形状であったり、又はラチェット式の固定具を使用した形状であっても良く、加重部材３をユーザの足に固定することができる形状であればどの様な形状であっても良い。
【００２８】
ストラップ１７は、表被覆部１３の外表に沿って形成されており、ユーザが長さを調整することで、サーフィン用シューズ１のフィット感を向上させる。尚、ストラップ１７は、例えばベルクロ（登録商標）素材を用いたものであっても良く、ラチェット式の固定具を用いるものであっても良い。また、サーフィン用シューズにおけるストラップの本数は１本に限られるものではなく、複数本備える構成であっても良い。
【００２９】
加重部材３をシューズ部分５に固定する際、加重部材３の一端を裏被覆部１５の空洞に挿入する。そして、加重部材３の孔９が、裏被覆部１５の孔と連通する様に加重部材３を挿入した後、ビス１１を裏被覆部１５の孔及び孔９に挿通する。そして、ビス１１の上部にはユーザの足が乗り、ビス１１の先端は、裏被覆部１５の空洞の面と接触する為、加重部材３は、ビス１１を介してシューズ部分５に固定される。
【００３０】
また、シューズ部分５は、ユーザの足のつま先部分を露出させる開口１９を備える。開口１９からユーザの足のつま先部分を露出させることで、サーフィン時にユーザに要求される細かい体重移動を行うことを可能とする。
【００３１】
ところで、裸足でサーフィンを行う場合、ユーザが自身の重心を移動させ、サーフボードに加わる力を変化させるが、足の構造上、踵部より後方では加重が行えない。ユーザの正面方向に向けてターンをしようとする場合は、親指の付け根近傍でサーフボードを押すことでサーフボードを傾け、ターンを行う。一方、ユーザの背面方向に向けてターンをしようとする場合は、体の後方向に重心を移動させ、踵部分でサーフボードを押してサーフボードを傾ける動作を行う。しかし、重心を後方に移動させて踵部分でサーフボードを押そうとしても、足首と踵が近接していることに起因して十分なモーメント力を得ることができない。この現象は、特に足の位置がサーフボードの中心線より波側に位置している場合に顕著となる。
【００３２】
しかし、本発明に係るサーフィン用シューズ１を使用した場合、加重部材３によって、足首から遠い位置でサーフボードに加重をすることが出来る為、容易にターンを行うことが可能となる。また、足の位置がサーフボードの中心線よりも波側に位置している場合であっても、加重部材３によって中心線の反対側で加重を行うことが可能となる。
【００３３】
また、上記サーフィン用シューズ１の変形例としては、以下の様な例がある。
【００３４】
例えば、図４に示す様に、加重部材３の主面の全面に渡って孔９を形成することが可能である。上記実施の形態では、加重部材３が裏被覆部１５の内部に挿入される箇所にのみ孔９を形成する構成とした。しかし、加重部材３における踵部から後方に突出する部分にも孔９して主面の表面積を縮小することで、所謂サーフィンのパドリング動作時に、加重部材３に加わる水圧を低減させることが可能となる。
【００３５】
また、図５に示す様に、加重部材３における踵部から突出している部分の厚さを、中心部から周縁部にかけて漸減した形状とすることでも同様の効果を得ることができる。具体的には、加重部材３における踵部から突出している部分の断面を、略三角形状に形成し、上面の中心線から周縁部にかけて傾斜した面を形成する。この様に加重部材３の断面形状を三角形状とすることで、パドリング動作時に加重部材３に当たる水は、その斜面に沿って流れる為、水圧によってユーザの足に加わる負担を低減させることができる。
【００３６】
尚、本発明は上述の実施の形態に限られるものではなく、本発明の趣旨を逸脱しない範囲で適宜変更可能であることはいうまでも無い。
【図１】
0004694566.tif 000002
【図２】
0004694566.tif 000003
【図３】
0004694566.tif 000004
【図４】
0004694566.tif 000005
【図５】
0004694566.tif 000006